(57)【要約】【課題】遊技機枠の全体的な構造の簡単化を図る。【解決手段】可動枠３の裏部にはタンク２０が設けられ、可動枠３の前部には前扉４がヒンジ６を中心として前後方向に片開き可能に取り付けられ、前扉４の前部には上球受皿部２５が設けられ、前扉４における左右方向でヒンジ６の設けられた側の反対側には通路視認部５１が設けられ、前扉４における前壁の裏面には球払出機構２１の動作によってタンク２０から上球受皿部２５の側に払い出される球を前扉４の前側から見えるように誘導する球払出通路２８が通路視認部５１と対応して設けられ、上球受皿部２５から溢れた球を下球受皿部２６に排出する溢れ球通路３０が前扉４の裏部に設けられていることから、球払出通路２８が遊技盤４１に設けられたりまたは遊技機枠１の前面から前側に突出されるように遊技機枠１に設けられたりしたものに比べ、遊技機枠１の全体的な構造を簡単にすることができる。【選択図】図１
2008086621.tif 000002
【特許請求の範囲】
【請求項１】
遊技盤を交換可能に取り付ける可動枠と、可動枠の裏部に設けられたタンクと、可動枠の前部にヒンジを中心として前後方向に片開き可能に取り付けられた前扉と、前扉の前部に設けられた上球受皿部と、上球受皿部よりも下部に位置して前扉の前部に設けられた下球皿部と、タンクから球受皿部の側に球を１個ずつ分離しながら払い出す球払出機構と、前扉に設けられた通路視認部と、通路視認部と対応する前扉の裏部に設けられ球払出機構の動作によってタンクから球受皿部の側に払い出される球を前扉の前側から見えるように誘導する球払出通路と、上球受皿部から溢れた球を下球皿部に排出するように前扉の裏部に設けられた溢れ球通路とを備えたことを特徴とする遊技機の球払出装置。
【請求項２】
請求項１に記載の球払出通路の上部には球払出機構から排出された球を球払出通路に導入する球入口部が設けられ、球入口部は球払出通路から後側に突出しかつ底部と左右の側壁とを有する上方および前後方向に開口した溝状に構成され、前扉が可動枠の側に閉じられた場合、球入口部が球払出機構の球出口部の真下に配置されたことを特徴とする遊技機の球払出装置。
【発明の詳細な説明】
【技術分野】
【０００１】
本発明は、遊技機枠の全体的な構造が簡単になる遊技機の球払出装置に関する。
【背景技術】
【０００２】
パチンコ遊技機などのパチンコ球と呼ばれる球を遊技媒体として使用する遊技機の球払出装置には、特許文献１乃至特許文献６で開示されたように、球払出通路を通過する球が遊技機枠の前側から見えるように、球払出通路が遊技機枠の前面側に設けられたものが公知である。しかしながら、特許文献１で開示されるように、球払出通路が遊技盤に設けられたり、または、特許文献２乃至特許文献６で開示されるように、球払出通路が遊技機枠の前面から前側に突出されるように遊技機枠に設けられたりすることから、遊技機枠の全体的な構造が複雑となり、にわかに採用しがたいという欠点がある。
【特許文献１】特開２００３−３８７９９号公報
【特許文献２】特開２００６−４３２６６号公報
【特許文献３】特開２００６−６８２３８号公報
【特許文献４】特開２００６−６８２３９号公報
【特許文献５】特開２００６−８７５６７号公報
【特許文献６】特開２００６−９５０１４号公報
【発明の開示】
【発明が解決しようとする課題】
【０００３】
発明が解決しようとする問題点は、遊技機枠の全体的な構造が複雑となり、にわかに採用しがたいという点である。
【課題を解決するための手段】
【０００４】
本発明に係る遊技機の球払出装置は、遊技盤を交換可能に取り付ける可動枠と、可動枠の裏部に設けられたタンクと、可動枠の前部にヒンジを中心として前後方向に片開き可能に取り付けられた前扉と、前扉の前部に設けられた上球受皿部と、上球受皿部よりも下部に位置して前扉の前部に設けられた下球受皿部と、タンクから球受皿部の側に球を１個ずつ分離しながら払い出す球払出機構と、前扉に設けられた通路視認部と、通路視認部と対応する前扉の裏部に設けられ球払出機構の動作によってタンクから球受皿部の側に払い出される球を前扉の前側から見えるように誘導する球払出通路と、上球受皿部から溢れた球を下球受皿部に排出するように前扉の裏部に設けられた溢れ球通路とを備えたことを最も主要な特徴とする。球払出通路の上部には球払出機構から排出された球を球払出通路に導入する球入口部が設けられ、球入口部は球払出通路から後側に突出しかつ底部と左右の側壁とを有する上方および前後方向に開口した溝状に構成され、前扉が可動枠の側に閉じられた場合、球入口部が球払出機構の球出口部の真下に配置されてもよい。
【発明の効果】
【０００５】
本発明に係る遊技機の球払出装置は、可動枠の裏部にはタンクが設けられ、可動枠の前部には前扉がヒンジを中心として前後方向に片開き可能に取り付けられ、前扉の前部には球受皿部が設けられ、前扉には通路視認部が設けられ、前扉における前壁の裏面には球払出機構の動作によってタンクから球受皿部の側に払い出される球を前扉の前側から見えるように誘導する球払出通路が通路視認部と対応して設けられ、上球受皿部から溢れた球を下球受皿部に排出する溢れ球通路が前扉の裏部に設けられているので、球払出通路が遊技盤に設けられたりまたは遊技機枠の前面から前側に突出されるように遊技機枠に設けられたりしたものよりも、遊技機枠の全体的な構造を簡単にすることができるという利点がある。球払出機構がタンクに設けられ、球払出通路の上部には球払出機構から排出された球を球払出通路に導入する球入口部が設けられ、球入口部は球払出通路から後側に突出しかつ底部と左右の側壁とを有する上方および後方向に開口した溝状に構成され、前扉が可動枠の側に閉じられた場合、球入口部が球払出機構の球出口部の真下に配置されれば、前扉の開閉時において、球入口部と球出口部とが互いに干渉することがなく、不正操作部材が遊技機枠の前側から球出口に挿入された場合でも、不正操作部材が球払出通路の球入口部から後側に突出して球払出機構の球出口部に到達することがなく、球払出機構に対する不正操作を防止できるという利点がある。
【発明を実施するための最良の形態】
【０００６】
図１乃至図８は、発明を実施するための最良の形態である。図１は、遊技機枠１および遊技盤４１を分解して示す。図２は、パチンコ遊技機の正面を示す。図３は、図２のＡ−Ａ線に沿って切断した断面を示す。図４は、図２のＢ−Ｂ線に沿って切断した断面を示す。図５は、球払出通路２９のＢ−Ｂ線と同じ方向の線で切断した断面を示す。図６は、前扉４および球払出通路２９を分解して示す。図７は、タンク２０および球払出機構２１を分解して示す。図８は、タンク２０と球払出機構２１とからなる構造体と可動枠３とを分解して示す。本明細書において、「前」、「表」、「後」、「裏」、「左」、「右」、「上」、「下」の方向は、図１の状態に遊技機枠１および遊技盤４１を置いて矢印Ｓで示す前側から見た場合に特定される方向である。「前」および「表」は、同じ方向である。「後」および「裏」は、同じ方向である。
【０００７】
図１を参照し、遊技機としてパチンコ遊技機を例として説明する。パチンコ遊技機は、遊技機枠１の内部に遊技盤４１を交換可能に取り付ける形態である。遊技機枠１は、固定枠２の前側に可動枠３を開閉可能に備え、可動枠３の前側に前扉４を開閉可能に備える。固定枠２は、遊技機設置設備に固定される。遊技機設置設備は、パチンコ遊技機を設置する遊技店の島と呼ばれる設備である。可動枠３は、左側に位置するヒンジ５を中心とし、固定枠２の前側で前側に開かれかつ後側に閉じられるように、片開き可能である。前扉４は、左側に位置するヒンジ６を中心とし、可動枠３の前側で前側に開かれかつ後側に閉じられるように、片開き可能である。
【０００８】
可動枠３は、盤収容部７、中央開口部８、盤後押出部９、盤前受止部１０、盤掛止操作体１１、盤棚１２、球発射機構１３、球発射レール１４、戻り球取入口１５、機外排出樋１６、施錠装置１７、掛止機構１８；１９、タンク２０、球払出機構２１を備える。盤収容部７は、遊技盤４１を可動枠３の前側から格納させるように、前側に開口した方形な箱形である。中央開口部８は、遊技盤４１の裏面に固定された部品を盤収容部７から裏側に突出するように挿入するための部分であって、前後方向への貫通孔として、盤収容部７の背壁に形成される。盤後押出部９は、遊技盤４１を前側に押す板ばねのような弾性体である。盤前受止部１０は、盤後押出部９で前側に押された遊技盤４１を受け止める突起である。盤後押出部９が後側で盤前受止部１０が前側となるように、盤後押出部９および盤前受止部１０が盤収容部７の左側部に設けられる。盤後押出部９と盤前受止部１０および盤掛止操作体１１は、遊技盤４１を盤収容部７に固定するための機構を構成する。
【０００９】
盤掛止操作体１１は、盤収容部７の背壁から前側に突出し、盤収容部７の背壁と平行な方向に回転可能に、盤収容部７の右側部に設けられる。盤棚１２は、遊技盤４１を搭載する左右方向に平坦な面として、盤収容部７の下縁部により形成される。球発射機構１３、球発射レール１４、戻り球取入口１５は、盤棚１２から下側に延設された前壁の前面に設けられる。機外排出樋１６は、盤棚１２の裏側に設けられる。施錠装置１７、掛止機構１８；１９は、可動枠３の右側部に設けられる。タンク２０は、可動枠３の上部に位置し、可動枠３の裏面から後側に突出し、遊技機設置構造体の補給機構から供給された球を受ける上側に開口した上側から下側に窪む容器である。球払出機構２１は、可動枠３の上部に位置し、可動枠３の前面から前側に突出し、タンク２０から上球受皿部２５の側に球を１個ずつ分離しながら払い出す機構である。
【００１０】
前扉４は、窓２２、パネル構造体２３、掛止部材２４、上球受皿部２５、下球受皿部２６、球発射操作機構２７、球供給口２８、球払出通路２９、溢れ球通路３０を備える。窓２２は、前後方向への貫通孔として、前扉４の前壁に設けられる。パネル構造体２３は、前扉４の前壁の裏面に開閉可能に設けられる。パネル構造体２３は、左側に位置するヒンジ３１を中心とし、前扉４の裏側で裏側に開かれかつ前側に閉じられるように、片開き可能であって、前面パネル３２を備える。前面パネル３２は、光透過性を有し、窓２２を塞ぐ大きさのガラスまたは合成樹脂からなる光を透過する性質の有る無色な板状に構成される。パネル構造体２３が閉じられて前扉４に掛止部材２４で開閉不能に支持されると、前面パネル３２が窓２２を裏側から塞ぐ。掛止部材２４は、前扉４の前壁の裏面に設けられる。
【００１１】
上球受皿部２５は、窓２２よりも下部に位置し、前扉４の前面から前側に突出し、遊技に使用する球を受ける上側に開口した上側から下側に窪む容器であって、前扉４の前壁の前面に設けられる。下球受皿部２６は、上球受皿部２５よりも下部に位置し、前扉４の前面から前側に突出し、上球受皿部２５から溢れた遊技に使用する球を受ける上側に開口した上側から下側に窪む容器であって、前扉４の前壁の前面に設けられる。球発射操作機構２７は、遊技者が球を発射するために操作するものであって、前扉４の前面から前側に突出するように、前扉４の前壁の前面に設けられる。球供給口２８は、球を上球受皿部２５から球発射レール１４に供給するものであって、前扉４の前壁の裏面に設けられる。
【００１２】
球払出通路２９は、球払出機構２１の動作によってタンク２０から上球受皿部２５の側に払い出される球を遊技機枠１の前側から見えるように誘導するものであって、窓２２よりも右側に位置し、前扉４の前壁の裏面に設けられる。つまり、球払出通路２９は、左右方向において、ヒンジ５；６；３１の設けられた側の反対側に位置する。球払出通路２９の上部には、球入口部３３が設けられる。球入口部３３は、球払出機構２１から排出された球を球払出通路２９に導入する部分である。球払出通路２９の下部には、球出口部３４が設けられる。球出口部３４は、球払出通路２９から上球受皿部２５に球を排出する部分である。溢れ球通路３０は、上球受皿部２５から溢れた球を下球受皿部２６に排出するものであって、前扉４の前壁の裏面に設けられる。
【００１３】
遊技盤４１は、ガイドレール４２、入賞部品４３、アウト口４４、球発射通路４５、取付部４６、証紙台４７を備える。ガイドレール４２は、遊技盤４１の前面に固定される。ガイドレール４２で囲まれた遊技盤４１の前面には、入賞部品４３、アウト口４４、球発射通路４５が設けられる。取付部４６は、ガイドレール４２よりも外側の遊技盤４１の右側部に上下に分かれて設けられる。証紙台４７は、下部の取付部４６の前部に開閉可能に設けられる。証紙台４７が閉じられると、下部の取付部４６が証紙台４７で覆い隠される。取付部４６には、取付孔４８が前後方向への貫通孔として設けられる。
【００１４】
パネル構造体２３が閉じられて前扉４に掛止部材２４で開閉不能に支持され、前扉４が閉じられて可動枠３に掛止機構１９で開閉不能に支持され、可動枠３が閉じられて固定枠２に掛止機構１８で開閉不能に支持された状態において、遊技店の店員が図外のキープレート（鍵）を遊技機枠１の前側から施錠装置１７の鍵穴に挿入し、当該キープレートを例えば右側に９０度回転操作すると、固定枠２と可動枠３との掛止機構１８による支持形態が解除される。この支持形態の解除後に、店員が可動枠３を前側に引くことによって、可動枠３はヒンジ５を中心として前側に片開きされる。また、店員が施錠装置１７の鍵穴に挿入されたキープレートを例えば左側に９０度回転操作すると、可動枠３と前扉４との掛止機構１９による支持形態が解除される。この支持形態の解除後に、店員が前扉４を前側に引くことによって、前扉４はヒンジ６を中心として前側に片開きされる。
【００１５】
そして、少なくとも、前扉４が前側に開かれた状態において、遊技盤４１の左側部が可動枠３の前側から盤後押出部９と盤前受止部１０との間に挿入され、遊技盤４１の右側部が遊技店の店員によって前側から後側に押され、盤掛止操作体１１が遊技盤４１の裏側から取付孔４８に挿入され、遊技店の店員が遊技盤４１の前側に突出した盤掛止操作体１１を例えば９０度回転操作することによって、盤掛止操作体１１が遊技盤４１の前面に掛け止められ、遊技盤４１の前面が前側に向けられ、遊技盤４１が可動枠３の内部における盤収容部７に装着される。
【００１６】
その後、図２に示すように、前扉４が閉じられ、前扉４が可動枠３に掛止機構１９で開閉不能に支持されると、ガイドレール４２で囲まれた遊技盤４１の前面、ガイドレール４２、入賞部品４３、アウト口４４、球発射通路４５が、遊技機枠１の前側から窓２２および前面パネル３２を通して視認可能になり、球払出通路２９が窓２２よりも右側に位置して遊技機枠１の前側から視認可能になり、球入口部３３が球払出機構２１の真下に配置され、図２および図３に示すように、ガイドレール４２で囲まれた遊技盤４１の前面と前面パネル３２との間の空間が球の飛び交う遊技領域４９になる。
【００１７】
図２に示すように、遊技盤４１が可動枠３に取り付けられ、前扉４が閉じられて可動枠３に開閉不能に支持され、遊技者が上球受皿部２５にパチンコ球と呼ばれる球を入れて球発射操作機構２７を操作すると、球発射機構１３が球発射操作機構２７から出力された操作量に応じた発射力で例えば１分間に１から１００発未満までの規定数の間隔で駆動し、球発射機構１３が上球受皿部２５から図１の球供給口２８を経由して球発射レール１４に供給された球を発射球として１個ずつ遊技盤４１の球発射通路４５に向けて発射する。この球発射通路４５に発射された球が、球発射通路４５から遊技領域４９に到達する。遊技領域４９に到達した球は、遊技盤４１の前面に設けられた入賞部品４３などの遊技部品に衝突して流れる方向を変えながら、遊技領域４９を流下する過程において、入賞部品４３に入賞する。
【００１８】
球が入賞部品４３に入賞すると、入賞部品４３の入賞に対する賞球としての球が、球払出機構２１の動作によってタンク２０から球払出通路２９を経由して上球受皿部２５に払い出される。遊技者は、上記球払出通路２９を通過する球を遊技機枠１の前側から見ることができる。球払出機構２１の動作によってタンク２０から球払出通路２９を経由して上球受皿部２５に払い出された球が上球受皿部２５に満杯になり、球が上球受皿部２５から開口６４（図３参照）および球出口部３４を経由して球払出通路２９の内部に下部から上部の側に溜まって球払出通路２９と溢れ球通路３０との連絡口６６に到達した以降、球払出機構２１の動作によってタンク２０から球払出通路２９に払い出された球は上記連絡口６６に到達した球に衝突した後に連絡口６６から溢れ球通路３０を経由して下球受皿部２６に払い出される。
【００１９】
図６を参照し、球払出通路２９が前扉４の裏面に設けられる構造について説明する。前扉４は、通路視認部５１、通路取付部５２を備える。通路視認部５１は、前後方向への貫通孔として、前扉４の前壁に設けられる。球払出通路２９は、前通路構造体５３と後通路構造体５４とを備える。前通路構造体５３は、光を透過する性質の有る無色または有色な合成樹脂からなる後側に開口する縦長な溝状に構成され、前壁５５、左壁５６、右壁５７、取付片５８、ねじ挿入孔５９、突面部６０を備える。左壁５６は、前壁５５の左縁部から後側に突出する。右壁５７は、前壁５５の右縁部から後側に突出し、左壁５６と対向する。取付片５８は、左壁５６の後縁部から左側に突出し、また、右壁５７の後縁部から右側に突出する。ねじ挿入孔５９は、前後方向への貫通孔として、取付片５８に設けられる。突面部６０は、前壁５５の前面から前側に突出し、通路視認部５１に嵌め込まれる大きさとして、前壁５５の前面に設けられる。
【００２０】
後通路構造体５４は、光を透過する性質の有る有色な合成樹脂からなる縦長な板状に構成され、球入口部３３、球出口部３４、ねじ挿入孔６２を備える。球入口部３３は、後通路構造体５４から後側に突出し、底部と左右の側壁とを有し、上方および前後方向に開口した溝状として、後通路構造体５４の上部に設けられる。球出口部３４は、後通路構造体５４から前側に突出し、底部と左右の側壁とを有し、上方および前側に開口した溝状として、後通路構造体５４の下部に設けられる。ねじ挿入孔６２は、前後方向への貫通孔として、後通路構造体５４の左縁部および右縁部に設けられる。
【００２１】
球払出通路２９が前扉４に取り付けられる場合、前通路構造体５３の突面部６０が前扉４の後側から通路視認部５１に嵌め込まれ、突面部６０の上縁部と通路視認部５１の上縁部とが互いに接触され、突面部６０の下縁部と通路視認部５１の下縁部との間に前後方向に貫通する開口６４（図３参照）が形成され、前通路構造体５３の取付片５８の前面が通路取付部５２の裏面に接触される。
【００２２】
次に、後通路構造体５４が前扉４の後側から前通路構造体５３に組み合わせられる。その場合、後通路構造体５４の左縁部および右縁部が前通路構造体５３の取付片５８に重ね合わされ、後通路構造体５４の中間部が前通路構造体５３の前壁５５と左壁５６および右壁５７で囲まれた空間を塞ぐことによって、球払出通路２９が形成される。その後、タッピングスクリューのような止ねじ６５が後通路構造体５４の後側からねじ挿入孔６２；５９を経由して通路取付部５２に締結される。これによって、球払出通路２９が、図１乃至図５に示すように、前扉４の裏面に設けられる。
【００２３】
図７を参照し、タンク２０および球払出機構２１の構造について説明する。タンク２０は、遊技機設置構造体の補給機構から排出されたパチンコ球と呼ばれる球を貯蔵するものであって、上方に開口した箱形の部屋として構成され、機構取付部７１、連結孔７２、筐体取付部７３を備える。機構取付部７１は、タンク２０の右側前部に設けられる。連結孔７２は、前後方向への貫通孔として、機構取付部７１で囲まれたタンク２０の前壁に設けられる。筐体取付部７３は、タンク２０の左側前部に設けられる。
【００２４】
球払出機構２１は、機構躯体７４、タンク取付部７５、払出モータ７６、払出構造体７７、払出球検出器７８、球出口部７９を備える。払出モータ７６が機構躯体７４の内部に装着され、払出構造体７７が払出モータ７６の出力軸に連結され、払出球検出器７８が払出構造体７７よりも下部に位置するように機構躯体７４の内部に装着される。球出口部７９は、払出球検出器７８を上方から下方に通過した球を下方に誘導して排出するように、機構躯体７４の下部に設けられる。払出構造体７７は、払出軸８０、螺旋体８１を備える。払出軸８０は、前後方向に直線的に延びる丸棒により構成される。螺旋体８１は、払出軸８０に設けられ、払出軸８０の前後方向に延びる軸心と平行な方向に球を１個ずつ分離する間隔で、払出軸８０の外周面から径方向外側に螺旋形状に突出する。
【００２５】
球払出機構２１がタンク２０に組み付けられる場合、球払出機構２１の払出構造体７７がタンク２０の機構取付部７１の前側から連絡孔７２を経由してタンク２０の内部に挿入され、球払出機構２１の払出球検出器７８がタンク２０の下部に配置され、球払出機構２１の機構躯体７４がタンク２０の機構取付部７１の前面に重ね合わされ、タッピングスクリューのような止ねじ８２が機構躯体７４の前側からタンク取付部７５を経由して機構取付部７１に締結されることによって、球払出機構２１およびタンク２０が図８に示すように互いに一体に組み立てられる。
【００２６】
球払出機構２１がタンク２０に組み付けられ、タンク２０に球が貯蔵された状態において、払出構造体７７が払出モータ７６で一方向に駆動されると、払出構造体７７の螺旋体８１がタンク２０の内部における球を１個ずつ分離しながら払出球検出器７８の側に誘導し、払出球検出器７８の側に誘導された球が払出構造体７７から下方に落下して払出球検出器７８を上方から下方に通過し、払出球検出器７８を通過した球が球出口部７９から下方に払い出される。
【００２７】
図８を参照し、タンク２０と球払出機構２１とからなる構造体が可動枠３に取り付けられる構造について説明する。可動枠３における盤収容部７よりも上部には、退避孔８３、払出取付部８４が設けられる。そして、タンク２０と球払出機構２１とからなる構造体が可動枠３に取り付けられる場合、球払出機構２１が可動枠３の後側から退避孔８３を経由して可動枠３の前側に配置され、タンク２０の筐体取付部７３が払出取付部８４と位置が合うように、可動枠３の裏面に重ね合わされ、タッピングスクリューのような止ねじ８５がタンク２０の後側から筐体取付部７３を経由して可動枠３の払出取付部８４に締結されることによって、タンク２０と球払出機構２１とからなる構造体が図１に示すようにタンク２０の裏面に固定される。
【００２８】
最良の形態によれば、図１および図２に示すように、可動枠３の裏部にはタンク２０が設けられ、可動枠３の前側には前扉４がヒンジ６を中心として前後方向に片開き可能に取り付けられ、前扉４の前部には上球受皿部２５および下球受皿部２６が設けられ、前扉４における左右方向でヒンジ６の設けられた側の反対側には通路視認部５１が設けられ、前扉４における前壁の裏面には球払出機構２１の動作によってタンク２０から上球受皿部２５の側に払い出される球を前扉４の前側から見えるように誘導する球払出通路２９が通路視認部５１と対応して設けられ、上球受皿部２５から溢れた球を下球受皿部２６に排出する溢れ球通路３０が前扉４の裏部に設けられているので、特許文献１乃至特許文献６で開示された構造よりも、遊技機枠１の全体的な構造を簡単にすることができるという利点がある。
【００２９】
図１および図２に示すように、球払出機構２１がタンク２０に設けられているので、球払出機構２１が球払出通路２９よりも上部に配置され、不正操作部材が遊技機枠１の前側から球出口部３４に挿入された場合でも、不正操作部材が球払出通路２９から球払出機構２１に到達しにくくなり、球払出機構２１に対する不正操作がやりにくくなるという利点がある。
【００３０】
図１および図２に示すように、球払出機構２１がタンク２０に設けられ、球払出通路２９の上部には球払出機構２１から排出された球を球払出通路２９に導入する球入口部３３が設けられ、球入口部３３は球払出通路２９から後側に突出しかつ底部と左右の側壁とを有する上方および後方向に開口した溝状に構成され、前扉４が可動枠３の側に閉じられた場合、球入口部３３が球払出機構２１の球出口部７９の真下に配置されているので、前扉４の開閉時において、球入口部３３と球出口部７９とが互いに干渉することがなく、不正操作部材が遊技機枠１の前側から球出口部３４に挿入された場合でも、不正操作部材が球払出通路２９の球入口部３３から後側に突出して球払出機構２１の球出口部７９に到達することがなく、球払出機構２１に対する不正操作を防止できるという利点がある。
【００３１】
球払出通路２９が前扉４の前壁とパネル構造体２３との間の空間に配置されかつ前扉４における前壁の裏面に取り付けられているので、前扉４とパネル構造体２３との取付構造を変更することなく、球払出通路２９が前扉４に設けられ、遊技機枠１の全体的な構造を簡単にすることができるという利点がある。
【００３２】
前後方向の貫通孔として構成された通路視認部５１が突面部６０で塞がれ、通路視認部５１と突面部６０との間の隙間が前通路構造体５３の前壁５５の前面で覆われているので、不正操作部材が遊技機枠１の前側から通路視認部５１と突面部６０との間の隙間から前扉４の裏側に侵入することがなく、球払出機構２１に対する不正操作を防止できるという利点がある。
【産業上の利用可能性】
【００３３】
遊技盤４１を盤収容部７に固定する機構は、盤後押出部９、盤前受止部１０、盤掛止操作体１１などからなる以外の機構であってもよい。遊技盤４１が可動枠３の後側から可動枠３の裏面に交換可能に取り付けられる構造でもよい。ガイドレール４２は、可動枠３の裏面またはパネル構造体２３の裏面に設けられてもよい。突面部６０が除去され、前通路構造体５３の前壁５５が通路視認部５１を後側から塞ぐように前扉４の裏面に取り付けられてもよい。突面部６０が前通路構造体５３から除去された場合、通路視認部５１は前後方向への貫通孔に置換し光を透過する性質の有る合成樹脂により形成されてもよい。溢れ球通路３０の上部が球払出通路２９に連結されることなく前扉４の上球受皿部２５と対応する部分に連結され、溢れ球通路３０が上球受皿部２５から溢れた球を球払出通路２９を迂回して下球受皿部２６に排出するようにしてもよい。球払出通路２９は、窓２２よりも左側に位置し、前扉４の前壁の裏面に設けられてもよい。
【図面の簡単な説明】
【００３４】
【図１】遊技機枠および遊技盤の分解斜視図（最良の形態）。
【図２】パチンコ遊技機の正面図（最良の形態）。
【図３】図２のＡ−Ａ線断面図（最良の形態）。
【図４】図２のＢ−Ｂ線断面図（最良の形態）。
【図５】球払出通路および照明構造体のＢ−Ｂ線断面図に相当する断面図（最良の形態）。
【図６】前扉と球払出通路および照明構造体の分解斜視図（最良の形態）。
【図７】タンクおよび球払出機構の分解斜視図（最良の形態）。
【図８】タンクと球払出機構とからなる構造体と可動枠との分解斜視図（最良の形態）。
【符号の説明】
【００３５】
１は遊技機枠、２は固定枠、３は可動枠、４は前扉、５はヒンジ、６はヒンジ、７は盤収容部、８は中央開口部、９は盤後押出部、１０は盤前受止部、１１は盤掛止操作体、１２は盤棚、１３は球発射機構、１４は球発射レール、１５は戻り球取入口、１６は機外排出樋、１７は施錠装置、１８は掛止機構、１９は掛止機構、２０はタンク、２１は球払出機構、２２は窓、２３はパネル構造体、２４は掛止部材、２５は上球受皿部、２６は下球受皿部、２７は球発射操作機構、２８は球供給口、２９は球払出通路、３０は溢れ球通路、３１はヒンジ、３２は前面パネル、３３は球入口部、３４は球出口部、３５乃至４０は欠番、４１は遊技盤、４２はガイドレール、４３は入賞部品、４４はアウト口、４５は球発射通路、４６は取付部、４７は証紙台、４８は取付孔、４９は遊技領域、５０は欠番、５１は通路視認部、５２は通路取付部、５３は前通路構造体、５４は後通路構造体、５５は前壁、５６は左壁、５７は右壁、５８は取付片、５９はねじ挿入孔、６０は突面部、６１は欠番、６２はねじ挿入孔、６３は欠番、６４は開口、６５は止ねじ、６６は連絡口、６７乃至７０は欠番、７１は機構取付部、７２は連結孔、７３は筐体取付部、７４は機構躯体、７５はタンク取付部、７６は払出モータ、７７は払出構造体、７８は払出球検出器、７９は球出口部、８０は払出軸、８１は螺旋体、８２は止ねじ、８３は退避孔、８４は払出取付部、８５は止ねじ。
【図１】
2008086621.tif 000003
【図２】
2008086621.tif 000004
【図３】
2008086621.tif 000005
【図４】
2008086621.tif 000006
【図５】
2008086621.tif 000007
【図６】
2008086621.tif 000008
【図７】
2008086621.tif 000009
【図８】
2008086621.tif 000010